(57)【要約】  ホスト制御装置が局地の分注器と情報を交換し、局地の分注器が互いに情報を交換する流体分注器のネットワークが開示される。情報は、分注処理、品質および信頼性に関する情報、問題および／または役立つ情報、およびアプリケーションであってよい。情報は、流体分注の間にリアルタイムで交換されて、あらゆる問題が共有され、たとえ遠隔地においても速やかに解決される。アプリケーションは、局地分注器またはホストで開発されて、ネットワーク全体にわたって共有されてよい。オペレーティングシステムは、アプリケーションソフトウェア開発ツールを含んでよく、アプリケーションは、配送スケジュールおよび原材料在庫の監視、購買注文の自動発行、訓練放送、検証および認可の工業基準の実施を含んでよい。
2013526122.tif 000002
【特許請求の範囲】
【請求項１】
ネットワークを介して１台以上の分注器の各々と通信を行うホストであって、プロセッサ、メモリ、ユーザインターフェイス、ビデオおよびオーディオハードウェア、通信ハードウェア、オペレーティングシステム、ならびに、分注用途に特化した動作ステップを詳述するソフトウェアアプリケーションプログラムを含むホストと、
前記１台以上の分注器であって、プロセッサ、メモリ、ユーザインターフェイス、通信ハードウェア、および、前記ホストと通信を行うためのソフトウェアを含む分注器とを含み、
前記ホストが、前記ネットワークを介して前記１台以上の分注器に、前記ソフトウェアアプリケーションプログラムをダウンロードし、
前記１台以上の分注器が、前記特定の動作ステップに関連する情報を前記ホストにフィードバックすることを特徴とする流体分注器ネットワーク。
【請求項２】
前記ホストへの前記フィードバックがリアルタイムで行われることを特徴とする請求項１に記載の流体分注器ネットワーク。
【請求項３】
前記ホストまたは前記１台以上の分注器で開発された訓練プログラムであって、前記１台以上の分注器によって、前記ネットワークを介して、かつ前記ネットワークに接続された他の場所にて、アクセスされてよい訓練プログラムをさらに含むことを特徴とする請求項１に記載の流体分注器ネットワーク。
【請求項４】
ソフトウェアを開発するためのツールであって、前記ホストおよび前記１台以上の分注器で利用可能なツールと、
前記ツールによって開発されたアプリケーションと
をさらに含むことを特徴とする請求項１に記載の流体分注器ネットワーク。
【請求項５】
１つのアプリケーションは、分注器が基準を満たすように動作することを確実にすることに向けられていることを特徴とする請求項４に記載の流体分注器ネットワーク。
【請求項６】
前記基準が、異なる場所の分注器に有効であってよいことを特徴とする請求項５に記載の流体分注器。
【請求項７】
１つのアプリケーションが、ウェビナー（Webinar）を含むことを特徴とする請求項４に記載の流体分注器。
【請求項８】
前記ホストが分注器を含むことを特徴とする請求項１に記載の流体分注器。
【請求項９】
１台以上の流体分注器を遠隔制御する方法であって、
接着剤分注プログラムであって、所与の接着剤流体のドットサイズを決定するステップと、前記ドットサイズを分注するためのステッピングモータのステップ数、および、シリンジ内の量の関数として後退のステップ数を決定するステップと、前記プログラム中の指定されたステップに休止位置を決定するステップとを含むプログラムを開発する工程と、
前記プログラムをネットワークを介してホストにアップロードする工程と、
前記プログラムを前記１台以上の流体分注器にダウンロードする工程と、
前記プログラムを前記１台以上の流体分注器で実行する工程と、
前記方法中の分注が休止されるステップに達して、前記１台以上の流体分注器の状態を表して、前記状態を前記ホストに通信する工程と、
前記状態を検討して、許容可能である場合には、前記１台以上の流体分注器に継続するよう指令し、許容可能でない場合には、前記ホストが、前記１台以上の流体分注器に停止して局地の人に通知するよう指令する工程と
を含むことを特徴とする方法。
【請求項１０】
前記方法の原開発者に前記状態を送信する工程と、
許容できない状態に対する解決策を開発して、前記解決策を前記１台以上の流体分注器に前記ホストを介して中継する工程とをさらに含むことを特徴とする請求項９に記載の方法。
【請求項１１】
前記ホストが、前記状態を基準と比較して、分注が許容可能であるか否かを決定することを特徴とする請求項９に記載の方法。
【請求項１２】
ホストにてツールを使用してウェビナー（Webinar）を開発する工程と、
ホストから局地分注器に通信する工程と、
前記ウェビナーを流体分注器に送信する工程と、
前記ウェビナーを流体分注器で実行する工程と、
前記方法中の前記分注器が前記ホストに通信する工程に達して、前記ホストが、応えて、前記分注器に情報を送信する工程と
を含むことを特徴とする方法。
【発明の詳細な説明】
【技術分野】
【０００１】
関連出願
本出願は、発明の名称を「流体分注システム」とし、発明者および所有者が本出願と同一の、２００９年９月２８日に出願された米国特許出願第１２／５６８１８０号に関連している。本出願は、いずれも所有者が本出願と同一である、米国特許第５６３０５２７号、第５７６５７２２号および第６６８２６０１号にも関連している。この先行の米国特許出願およびこれら３つの米国特許は、参照によって本明細書に組み込まれる。
【０００２】
本発明は、ネットワークの一部であり、各々の分注器がネットワークを介して遠隔ホストコンピュータシステムによって制御されてよい、流体分注方法および流体分注システムに関する。ここで、「ネットワーク」とは、ホストが近くのまたは地理的な広い範囲に広がった１台または多数の分注器と通信を行う通信ネットワークをいう。「ネットワーク」は、インターネット（ウェブまたはクラウド）であってもよいが、有線のローカルエリアネットワークまたはあらゆる無線のローカルエリアネットワークであってもよい。「ホスト」は、以下では、単一の計算要素として説明するが、「ホスト」は、異なる場所、ネットワーク上の異なるアドレス、または別のネットワーク上に位置し得る、分散プロセッサまたは複数プロセッサであってもよい。
【背景技術】
【０００３】
様々な粘度の流体を、変動のない制御可能な正確な量で分注することは、製品製造者および供給者にとって未だに関心事である。たとえば、製品の製造に関して、最終製品の高い品質および構造上の完全性を保証するために、信頼性よく正確に接着剤を分注することが重要である。ここで、最終製品は、構造の部品を相互に固定するために粘着剤が使用される、実質的にあらゆるアセンブリであってよい。製品の範囲は広く、たとえば、飛行機アセンブリから、オーディオシステム、家具、住宅、容器などにわたる。
【０００４】
分注器が、地理的に広範な場所に分散されている場合、最終製品の品質管理は困難であるかも知れない。たとえば、粘度の範囲が広く、かつ分注後の液だれを伴わない、広範な流体接着剤の制御は容易ではない。均一で高品質な世界的規模の分注が、重要な競争上の優位性となる。
【０００５】
接着剤および類似の流体の分注において、「ドット」または「ビーズ」という用語は、分注された一定量の流体の形状因子を指し、「流体」は、液体、懸濁液または、流体の一般的な定義に合致する材料、たとえば水、と同様に反応する他の材料を指す。「ドット」は、単一の独立した量の流体を指し、一方、「ビーズ」は、分注された帯状の連続的な流体を指す。どちらの場合も、分注される量が重要である。たとえば、ビーズが湾曲した帯状部を成すように分注されるとき、均一なビーズを得るためには、分注器は、直線状の分注と比べて動的な差異に適応しなければならない。
【０００６】
ワークピース上に分注されるドットまたはビーズの位置は、ワークピースのＸ−Ｙ位置を制御する位置合わせ装置、または、当技術分野で周知であり、本明細書では偶発的にのみ参照される、分注ガンを用いた手動能力に依存する。
【０００７】
接着剤分注器を使用する生産施設は、多くの技術分野で、全世界で局地的に設立されている。分注器が広範に広がり、その操作についての僅かな知識で個別に操作されることは、不均一な品質かつ競争力で劣る結果となる。地理的位置に関わらず、接着剤の精密（再現可能）で正確な分注が、製品の組み立てにきわめて重要である。たとえば、メキシコにおける分注接着剤の品質と、合衆国あるいは世界の他の場所における分注は、すべて高品質であるべきである。
【発明の概要】
【０００８】
本発明は、ネットワーク上で局地的に分布していてよい、または、世界全体にわたって広く分布していてよい１台または多数の流体分注器を遠隔操作するシステムを開示する。各分注器は、分注動作を実行するために必要な情報を、通信チャンネルを介してリアルタイムで受信する。分注器から離れた場所（隣の部屋または隣の国）に位置するホストが、ソフトウェアを各分注器にダウンロードし、各分注器からアップロードしてよく、分注器は相互に情報を送信してよい。分注器からアップロードされた情報は、「状態」を含んでよい。状態は、とりわけ、すべての局地分注器について、分注処理に沿った様々な工程での動作を監視するホストに関連する。監視は、ホストと特定の分注器とのリアルタイムでのビデオおよびオーディオ交換を含んでよい。たとえば、ドットまたはビーズの写真が評価のためにホストに送信され、ホストが、たとえば、ドットまたはビーズのビデオをドットまたはビーズのモデルまたは鋳型と比較することによって、分注されたドットまたはビーズの正確性を判断してよい。ホストが監視する可能な機械的位置合わせおよび位置決めの詳細があってよい。ホストが、可聴または可視の警告を発動して、局地にいる人に、彼らの注意が必要であるかもしれないことを、知らせてよい。
【０００９】
１つの応用においては、分注器は、大規模な製造施設または商業施設の全体にわたって分配させることが可能であるが、別の応用においては、異なる大陸における異なる国にあるものとすることも可能である。１つの施設または1台の分注器で見出された注目事項（肯定的または否定的）が、直ちに、他の施設または分注器に知らされてよい。注目事項に応えてなされたあらゆる操作もまた、数秒以内に他の場所で利用可能になる。この調整は、製造または使用が何処で発生するかにかかわらず製造基準を満たさなければならない、特別のアプリケーションを有してよい。
【００１０】
分注処理は、さらに、一箇所でまたはホストで開発されて、局地の分注器に、訓練セッションの一部として、ダウンロードされてよい。処理はリアルタイムで試験されるとよい。処理および他の関連するアプリケーションを開発するために、たとえば、アプリケーション開発のためのツールのオープンソースでの提供が、ホストまたは局地分注器にて利用可能であるとよい。ユーザは、世界中で利用可能なアプリケーションを開発するとよい。その場合、あらゆる注目事項、特に、１つの施設でのあらゆる局地的注目事項が、速やかに見出されてリアルタイムで解決されるかもしれない。
【００１１】
関連するアプリケーションは、分注処理を共有する能力、ならびに、局地分注器および／またはホスト間で報告および／または監視を直接行う特別のアプリケーションを含んでよい。加えて、情報「ウェビナー」が開発され、分注の地および／またはネットワーク上のあらゆる場所で、訓練のために利用できるようにされるとよい。ウェビナーは、また、製造、市場開発、販売、購買および在庫管理の支持に向けられ、役立つとよい。
【００１２】
監視は、必要な材料および生産日へのオーダーマッチングを含む生産予定および計画を含んでよい。発見された食い違いは、局地の人の世話を必要とするかも知れない警告という結果になってよい。
【００１３】
検証または承認のための工業基準に合致しているとして製造される装置については、システムの確実な遠隔操作ネットワーク、および多くの場所で同時に検証することを可能にするアプリケーションを構築することが可能であるかも知れない。これは、そのような操作の効率を大きく改善し、したがって、時間およびコストを削減するであろう。
【００１４】
商業的操作において、異なる場所での製造を調整する中央のホストは、より一貫した、速やかな、より効率的な操作を提供するかもしれない。
【図面の簡単な説明】
【００１５】
以下の発明の説明は、添付の図面を参照する。
【図１Ａ】ネットワークを介して多くの局地分注器と通信するホスト分注器制御装置のブロック図である。
【図１Ｂ】ネットワークを介して多くの局地分注器と通信するホスト分注器制御装置のブロック図である。
【図１Ｃ】ネットワークを介して多くの局地分注器と通信するホスト分注器制御装置のブロック図である。
【図２Ａ】局地分注器のブロック図である。
【図２Ｂ】ワークピース上にビーズを分注するシリンジを示す詳細図である。
【図３】ホストのブロック図である。
【図４】ホストに常駐するソフトウェアのリストである。
【図５】局地分注器に常駐するソフトウェアを示す図である。
【図６】ホストと局地分注器との間の一操作を示すフローチャートである。
【発明を実施するための形態】
【００１６】
図１Ａは、バス型イーサネットネットワーク４上に構成された数台のＬＤ６（局地分注器）を制御するホスト２のいくつかのネットワーク配置を示す。バス型イーサネットネットワーク４の他、デイジーチェーン型、リング型またはスター型ネットワークを採用してもよい。図１Ｂは、ホスト２がネットワーク５を介してＬＤ６’と通信をする構成を示す。この例において、ネットワーク５は、無線、たとえばＷＩＦＩ、Ｂｌｕｅｔｏｏｔｈ、または実質的にあらゆる通信ネットワークでよい。図１Ｃは、ホストが分散され、ホスト２’がホスト２”と、ネットワーク５’、ネットワークＡを介して、または直接３に、通信するシステムを示す。
【００１７】
ネットワークは有線、無線または両者の組み合わせでよい。
ネットワークを介して通信を行う装置間の通信は、公知のプロトコルを有する双方向リンクを含む。簡潔には、ホストおよび各ＬＣは、装置間で通信リンクを確立しなければならず、二者間で送信されるビットの意味（プロトコル）は、両者によって理解されなければならない。実際のリンクの種類およびプロトコルは、上記の異なるネットワークを区別するものであるが、実質的にあらゆるネットワークが本発明で採用されてよく、したがって、ネットワークおよびプロトコルは、本開示にとって補助的であり、説明している特定の問題に関連しない限りさらなる説明は行わない。
【００１８】
図２Ａは、指令を入力し、状態、情報などを表示するヒューマンインターフェイス１６を含んでよい局地制御装置６を示している。たとえば、タッチスクリーン、キーパッドまたはフルキーボードが使用されてよい。他の表示器、たとえばＬＥＤが、マイクロプロセッサ、ＤＳＰ（ディジタルシグナルプロセッサ）１５またはこれらの等価物、たとえばゲートアレイと共に、制御装置に内蔵されてもよい。メモリ１８は、バッファ、キャッシュおよび実行コードを記憶する主メモリを含んでよい。大容量メモリまたはディスクメモリが、いくつかのアプリケーションで見出され、また、いくつかのアプリケーションにおいては、フラッシュメモリが使用されて、メインメモリからアップロードされて実行される分注およびアプリケーションソフトウェアを記憶してよい。このような場合、フラッシュが除去されて、ソフトウェア保護技術として、制御装置にはシステムソフトウェアが残存しなくてよい。他の入出力部２０は、オーディオ、ビジュアル、シリンジおよび／またはガン分注器およびＸ−Ｙテーブルのためのモータドライブ、ならびに、局地分注器への通信装置を含んでよい。通信装置は、ホスト２が、積極的に分注器６の状態および動作を監視し、ネットワーク４を介して新たなまたは更新されたソフトウェアおよび情報を送信することを可能にする。
【００１９】
図２Ａおよび図２Ｂは、モータ９で駆動されるシリンジ１０、ピストン１１およびＸ−Ｙテーブル（または、手動ガン分注器）を有する単一の局地分注器ＬＤ６を表している。Ｘ−Ｙテーブルに搭載されたワークピース、およびドットまたはビーズの分注の位置および動きを確実にするための操作は、上記の組み込まれた米国特許出願および米国特許に詳述されている。モータは、局地分注器６に見られるモータドライブソフトウェアが決定するとおりに、ワークピースおよびビーズの大きさを位置決めしてよい。このアプリケーションにおいて、シリンジ１０は、Ｘ−Ｙテーブルがワークピースを動かすにつれて、流体１２をビーズ１３として連続的に分注する。１つのアプリケーションにおいて、流体１２は、ワークピース１５上にドット２１として分注される接着剤であってよい。このようなアプリケーションにおいては、一連の離間した接着剤ドットおよび／またはビーズがワークピース上に分注され、このワークピースは他のワークピース（不図示）に押圧されて強固な集合体を形成する。
【００２０】
一般に、ドット／ビーズの大きさは、応用にとってきわめて重要である。商業的な応用では、小さ過ぎるもしくは大き過ぎる、または、不均一なビーズは、最終の集合体の質に悪影響を及ぼすであろう。さらに、適用後の液だれは、最終製品の見栄えおよび受容性に悪影響を与えるかもしれない。
【００２１】
精密かつ正確な流体の物理的分注の操作、および分注、背圧、後退（back off）などの制御は、ここに組み込まれた米国特許および特許出願に示されている。
【００２２】
いくつかのアプリケーションにおいて、分注器は、流体(接着剤ではない)をバイアルに分注してよく、分注される流体の分量および種類ごとに、同等な後退処理が開発されてよい。ここでも、流体の各分量の分注の後、メニスカスが針開口に保たれるように、後退処理が開発されるとよい。分注される量、シリンジに残る量、流体の種類（流体の粘度、表面張力、他の物性が変化する）に変化が生じるとき、分注処理および関連する数がすべて変化してよい。各場合において、数は、アプリケーションごとに、経験的に定めてよい。ここでも、詳細については、ここに組み込まれた米国特許および特許出願を参照する。
【００２３】
ホスト制御装置２を図３に示す。ホストは、ＬＤに見られるものとほとんど同じ範疇のハードウェアおよびソフトウェアを有するが、はるかに大きなスケールであろう。ホスト２は、広い地理的範囲にわたる多くのＬＤのために働いて、それらのＬＤをリアルタイムで制御しなければならない。前述のように、ホストは、協働的に動作する複数のプロセッサであってよく、これらのプロセッサはネットワークに関して異なる場所に存在してよい。
【００２４】
ホスト２は、数千のＬＤをリアルタイムで高速制御することが可能な大規模で高速のプロセッサシステム３０を有してよい。プロセッサは、たとえばＩＢＭなどの、大型のコンピュータおよびサーバシステムの製造者から選択してよい。高速メモリ３２は、ＩＢＭ，ＥＭＣ，Ｎｅｔｗｏｒｋ Ａｐｐｌｉａｎｃｅｓなどによって製造される大規模なＲＡＭシステム、バッファ、キャッシュ、フラッシュ、および冗長ディスクシステムを含んでよい。入出力部３４は、通常の、タッチスクリーン、キーボード、表示器（ＬＥＤ）、プリンタ、スキャナ、ビデオおよびオーディオハードウェア、ならびに高速暗号化通信装置を含んでよい。
【００２５】
ホストソフトウェアは、図４に示すように、ＬＤのオペレーティングシステムと通信するのに適したオペレーティングシステムを含む。オペレーティングシステムは、好ましくは、オープンソースのものであり、および／またはアプリケーションの作成（writing）と改良（refining）を可能にするツールを有する。たとえば、モバイルシステム用のＡＮＤＲＯＩＤ（あるいはＤＲＯＩＤ）オペレーティングシステムは、ＬＩＮＵＸに基づいており、アプリケーション（一般に「ａｐｐ」と呼ばれる）の作成にＪＡＶＡが使用されるのを可能にする。ｉＰＨＯＮＥオペレーティングシステムは、同じくアプリケーションの作成を可能にするＳＤＫ（Ｓｏｆｔｗａｒｅ Ｄｅｖｅｌｏｐｅｒｓ Ｋｉｔ）を含む。ＸＰおよび類似のオペレーティングシステムは、一般に、アプリケーションの作成を可能にするプログラムをサポートするであろう。
【００２６】
他のアプリケーションは、分注プログラム、診断およびサービスプログラム、教育／訓練プログラム、暗号化プログラム、および、品質工業基準を実施し、遵守し、試験するためのプログラムを含んでよい。
【００２７】
ＬＤに常駐するソフトウェアは、ホストと協働的に通信する。分注プログラムは、ホストからダウンロードされてＬＤで実行されてよい。
【００２８】
前述のように、分注処理は、特定の応用のために経験的に、局地分注器でまたはホストで開発されてよい。たとえば、特定の応用における特定の流体について、必要とされるドットまたはビーズを分注するためのステッピングモータのステップ数、および、その後シリンジの消耗につれての液だれを防止するための後退のステップ数が、１つのＬＤ位置で開発されてよい。一旦開発されると、処理はホストにアップロードされ、次いで、世界中のあらゆる場所の分注器にダウンロードされてよい。処理は、質と信頼性を確認するために、各場所で試験されてよい。各場所での試験の一部は、ホストに送られるドットおよび／またはビーズを示すビデオを伴ってもよい。ホストは、様々な場所での適切な動作を検証してよい。局地の人との音声通信が、適切な操作を冗長的に確認するために使用されてよい。他の応用において、１つのＬＤが、他のＬＤと通信して分注プログラムを送信するように構成されてよい。
【００２９】
図６は、ネットワーク化された分注器の１つの動作を示す。ここでは、特定の接着剤分注プログラムが、特定のアセンブリのために局地分注器で開発される（ステップ６０）。開発が完了すると、このプログラムはホストにアップロードされる（ステップ６２）。ホストは、この分注プログラムを使用して同一の製品を組み立てる他の局地分注器に、このプログラムをダウンロードしてよい（ステップ６４）。ダウンロードされたプログラムを受けた局地分注器は、プログラムが正常に動作することを検証してよい（ステップ６６）。問題がある場合（ステップ８０）、局地分注器はホストと通信を行い（ステップ８６）、ホストはプログラムの開発者にその問題を送信する。問題は参加者間で協働的に解決されてよく（ステップ８４）、プログラムは修正されて（ステップ８２）、ホストにアップロードされる（ステップ８８）。プログラムが検証されたときに問題が見つからない場合（ステップ６８）、プログラムが実行されて（ステップ７０）、製品が組み立てられる。プログラムのステップが実行されるにつれて、予め指定されたステップで、データがホストに送信されてよい（ステップ７２）。データは、ビデオまたは他の誤動作（不適切なモータステップ、液だれなど）の表示を含んでよく、動作が適切ならば（ステップ７６）、プログラムは最後までは実行されて終了する（ステップ９２）。不適切なまたは予期せぬ問題が生じた場合（ステップ６４）、プログラムは中断されて、局地の人に通知がなされてよい（ステップ７７）。ホストは、次いで、この問題を開発者に通知する（ステップ８６）。問題は、その後解決され（ステップ８４）、プログラムは修正されて（ステップ８２）、他の局地分注器へのダウンロードのために、ホストにアップロードされる。
【００３０】
分注プログラムの開発において、ホストおよび２台以上の局地分注器が協働するのが有利である。局地分注器およびホスト間のリアルタイムでの通信が、多数の設計者が課題または問題を発見し速やかに解決することを可能にする。場所、材料および操作者の違いが、より速やかに発見され解決されてよい。
【図１Ａ】
2013526122.tif 000003
【図１Ｂ】
2013526122.tif 000004
【図１Ｃ】
2013526122.tif 000005
【図２Ａ】
2013526122.tif 000006
【図２Ｂ】
2013526122.tif 000007
【図３】
2013526122.tif 000008
【図４】
2013526122.tif 000009
【図５】
2013526122.tif 000010
【図６】
2013526122.tif 000011
【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
ネットワークを介して１台以上の分注器の各々と通信を行うホストであって、プロセッサ、メモリ、ユーザインターフェイス、ビデオおよびオーディオハードウェア、通信ハードウェア、オペレーティングシステム、ならびに、分注用途に特化した動作ステップを詳述するソフトウェアアプリケーションプログラムを含むホストと、
前記１台以上の分注器であって、プロセッサ、メモリ、ユーザインターフェイス、通信ハードウェア、および、前記ホストと通信を行うためのソフトウェアを含む分注器とを含み、
前記ホストが、前記ネットワークを介して前記１台以上の分注器に、前記ソフトウェアアプリケーションプログラムであって、前記１台以上の分注器に、所与の接着剤流体のドットサイズを決定させ、前記ドットサイズを分注するためのステッピングモータのステップ数、および、シリンジ内の前記所与の接着剤流体の量の関数として、前記ドットサイズを維持するための後退のステップ数を決定させるソフトウェアアプリケーションプログラムをダウンロードし、
前記１台以上の流体分注器で前記プログラムを実行して、所与の接着剤流体の前記ドットサイズを提供し、前記ドットサイズを分注するためのステッピングモータのステップ数、および、シリンジ内の前記所与の接着剤流体の量の関数として、前記ドットサイズを維持するための後退のステップ数を提供し、前記プログラム中の指定されたステップに休止位置を提供し、
前記１台以上の流体分注器で前記プログラム内で、分注を中止するステップに達し、前記１台以上の分注器の状態を表して前記ホストにフィードバックし、
前記状態を前記ホストで検討して、許容可能である場合には、前記１台以上の流体分注器に継続するよう指令し、許容可能でない場合には、前記ホストが、前記１台以上の流体分注器に停止して局地の人に通知するよう指令することを特徴とする流体分注器ネットワーク。
【請求項２】
前記ホストへの前記フィードバックがリアルタイムで行われることを特徴とする請求項１に記載の流体分注器ネットワーク。
【請求項３】
前記ホストまたは前記１台以上の分注器で開発された訓練プログラムであって、前記１台以上の分注器によって、前記ネットワークを介して、かつ前記ネットワークに接続された他の場所にて、アクセスされてよい訓練プログラムをさらに含むことを特徴とする請求項１に記載の流体分注器ネットワーク。
【請求項４】
ソフトウェアを開発するためのツールであって、前記ホストおよび前記１台以上の分注器で利用可能なツールと、
前記ツールによって開発されたアプリケーションと
をさらに含むことを特徴とする請求項１に記載の流体分注器ネットワーク。
【請求項５】
１つのアプリケーションは、分注器が基準を満たすように動作することを確実にすることに向けられていることを特徴とする請求項４に記載の流体分注器ネットワーク。
【請求項６】
前記基準が、異なる場所の分注器に有効であってよいことを特徴とする請求項５に記載の流体分注器ネットワーク。
【請求項７】
１つのアプリケーションが、ウェビナー（Webinar）を含むことを特徴とする請求項４に記載の流体分注器ネットワーク。
【請求項８】
前記ホストが分注器を含むことを特徴とする請求項１に記載の流体分注器ネットワーク。
【請求項９】
１台以上の流体分注器を遠隔制御する方法であって、
接着剤分注プログラムであって、所与の接着剤流体のドットサイズを決定するステップと、前記ドットサイズを分注するためのステッピングモータのステップ数、および、シリンジ内の前記所与の接着剤流体の量の関数として、前記ドットサイズを維持するための後退のステップ数を決定するステップと、プログラム中の指定されたステップに休止位置を決定するステップとを含むプログラムを開発する工程と、
前記プログラムをネットワークを介してホストにアップロードする工程と、
前記プログラムを前記１台以上の流体分注器にダウンロードする工程と、
前記プログラムを前記１台以上の流体分注器で実行して、前記所与の接着剤流体の前記ドットサイズを提供し、前記ドットサイズを分注するためのステッピングモータのステップ数、および、前記シリンジ内の前記所与の接着剤流体の量の関数として、前記ドットサイズを維持するための後退のステップ数を提供し、前記プログラム中の指定されたステップに休止位置を提供する工程と、
前記プログラム中の分注が休止されるステップに達して、前記１台以上の流体分注器の状態を表して、前記状態を前記ホストに通信する工程と、
前記状態を検討して、許容可能である場合には、前記１台以上の流体分注器に継続するよう指令し、許容可能でない場合には、前記ホストが、前記１台以上の流体分注器に停止して局地の人に通知するよう指令する工程と
を含むことを特徴とする方法。
【請求項１０】
前記方法の原開発者に前記状態を送信する工程と、
許容できない状態に対する解決策を開発して、前記解決策を前記１台以上の流体分注器に前記ホストを介して中継する工程とをさらに含むことを特徴とする請求項９に記載の方法。
【請求項１１】
前記ホストが、前記状態を基準と比較して、分注が許容可能であるか否かを決定することを特徴とする請求項９に記載の方法。
【請求項１２】
前記接着剤分注プログラムを開発する工程は、前記１台以上の流体分注器で前記接着剤分注プログラムを開発することを含み、
前記プログラムをネットワークを介してホストにアップロードする工程は、前記プログラムを前記１台以上の流体分注器からネットワークを介して前記ホストにアップロードすることを含み、
前記プログラムを前記１台以上の流体分注器にダウンロードする工程は、前記プログラムを前記ホストから前記１台以上の流体分注器の残余の残りの流体分注器にダウンロードすることを含むことを特徴とする請求項９に記載の方法。
【請求項１３】
前記状態を検討することは、前記ホストによって、前記１台以上の流体分注器の流体分注器の前記状態を、前記１台以上の流体分注器の残りの流体分注器に報告することを含むことを特徴とする請求項９に記載の方法。
【請求項１４】
流体分注器ネットワークの分注器において、
通信ハードウェアと、
前記通信ハードウェアに電気的に通じるように設けられたプロセッサとを含み、
前記プロセッサは、ホストから前記通信ハードウェアを介して、所与の接着剤流体のドットサイズを決定させ、前記ドットサイズを分注するためのステッピングモータのステップ数、および、シリンジ内の前記所与の接着剤流体の量の関数として、前記ドットサイズを維持するための後退のステップ数を決定させ、前記命令中の指定されたステップに休止位置を提供させる命令を受信し、
前記命令を実行して、前記所与の接着剤流体のドットサイズを提供し、前記ドットサイズを分注するためのステッピングモータのステップ数、および、前記シリンジ内の所与の接着剤流体の量の関数として、前記ドットサイズを維持するための後退のステップ数を提供し、前記命令中の指定されたステップに休止位置を提供し、
前記プログラム中の、分注を休止するステップに達して、分注器の状態を表して、前記状態を通信ハードウェアを介して前記ホストに通信し、
前記ホストから通信ハードウェアを介して、前記ホストによって検討された状態に基づく指令であって、分注器に継続させるか分注器を停止させるかのどちらかを命じる指令を受信する
ことを特徴とする分注器。
【国際調査報告】
2013526122.tif 000012
2013526122.tif 000013
2013526122.tif 000014
2013526122.tif 000015
2013526122.tif 000016